(57)【要約】【課題】  バンドの取り扱いを改良した電子機器を提供する。【解決手段】  電子機器は、表示部と、前記表示部を支持した支持部と、前記表示部とは反対側で前記支持部の少なくとも一部と対向した対向部と、第１端部と、前記第１端部とは反対側の第２端部と、を有するとともに、前記第２端部が前記支持部と前記対向部との間に位置した第１位置と、この第１位置とは異なる第２位置との間で回転可能な回転体と、前記第１位置にある前記回転体と当接し、前記回転体の回転を抑制可能な抑制部と、を備えた。【選択図】図２
2012175342.tif 000002
【特許請求の範囲】
【請求項１】
底部を有した本体と、
前記本体に取り付けられた第１端部と、前記第１端部とは反対側の第２端部と、を有するとともに、前記第２端部が前記本体と重なった第１位置と、前記第２端部が前記本体から突出した第２位置との間で、前記取り付けられた部分の周りに回転可能なバンドと、
前記底部から突出し、前記バンドが時計回りおよび反時計回りのいずれか一方の方向に回転する際に前記第１位置で前記バンドに当たり、該方向への回転を抑制したストッパ部と、前記ストッパ部から前記ストッパ部と交差する方向に延びて前記バンドを前記第１位置に保持した保持部と、を有したフックと、
を備えたテレビスタンド。
【請求項２】
前記フックは、前記第１位置にある前記バンドの前記第２端部の近傍に設けられた請求項１に記載のテレビスタンド。
【請求項３】
表示部を支持したスイベル部を備え、
前記スイベル部は、前記取り付けられた部分と前記フックとの間の位置に設けられ、前記第１位置にある前記バンドを撓ませた請求項２に記載のテレビスタンド。
【請求項４】
前記第１位置にある前記バンドの前記第２端部は、前記取り付けられた部分からみて前記フックよりも遠い位置に突出した請求項３に記載のテレビススタンド。
【請求項５】
前記本体の前記底部には、凹部が設けられ、前記凹部内に、前記取り付けられた部分、前記第１位置にある前記バンド、および前記フックが収納された請求項４に記載のテレビスタンド。
【請求項６】
前記本体には、前記凹部から隆起した複数の隆起部が設けられ、
前記複数の隆起部は、前記取り付けられた部分と前記フックとを通る線上から、当該線と交差する方向に行くに連れて徐徐に隆起した請求項５に記載のテレビスタンド。
【請求項７】
前記複数の隆起部は、前記取り付けられた部分の近傍に設けられた請求項６に記載のテレビスタンド。
【請求項８】
前記複数の隆起部は、前記フックの近傍で、前記取り付けられた部分からみて前記フックよりも近い位置に設けられた請求項６に記載のテレビスタンド。
【請求項９】
前記複数の隆起部は、前記フックの近傍で、前記取り付けられた部分からみて前記フックよりも遠い位置に設けられた請求項６に記載のテレビスタンド。
【請求項１０】
前記バンドには、長孔部が設けられ、前記長孔部は、前記バンドの長手方向に延びるとともに、その内側に前記取り付けられた部分が通された請求項６に記載のテレビスタンド。
【請求項１１】
前記バンドは、前記底部に接着されたラベルの目隠しを兼ねた請求項６に記載のテレビスタンド。
【請求項１２】
前記底部から突出し、前記第２位置にある前記バンドが時計回りおよび反時計回りの前記いずれか他方の方向に回転する際に前記第２位置で前記バンドに当たり、該方向への回転を抑制した第２ストッパ部を備えた請求項６に記載のテレビスタンド。
【請求項１３】
表示部と、
前記表示部を支持した支持部と、
前記表示部とは反対側で前記支持部の少なくとも一部と対向した対向部と、
第１端部と、前記第１端部とは反対側の第２端部と、を有するとともに、前記第２端部が前記支持部と前記対向部との間に位置した第１位置と、この第１位置とは異なる第２位置との間で回転可能な回転体と、
前記第１位置にある前記回転体と当接し、前記回転体の回転を抑制可能な抑制部と、
を備えた電子機器。
【発明の詳細な説明】
【技術分野】
【０００１】
本発明の実施形態は、表示部を支持するテレビスタントおよび電子機器に関する。
【背景技術】
【０００２】
テレビ等の転倒を防止するために、テレビをテレビ台等に固定するための転倒防止バンドが存在する。このようなバンドをテレビに設けることは、今後テレビの大型化が進むに連れて、ますます重要性を増すことが予想される。
【先行技術文献】
【特許文献】
【０００３】
【特許文献１】特開２００８−４８７８０号公報
【発明の概要】
【発明が解決しようとする課題】
【０００４】
様々な形状のテレビ台等に対応するため、バンドには十分な長さが必要である。一方で、このような長いバンドが邪魔になることがあり、バンドの取り扱いに関して改良のニーズが存在していた。
【０００５】
本発明は、バンドの取り扱いを改良した電子機器を提供することを目的とする。
【課題を解決するための手段】
【０００６】
実施形態の電子機器は、表示部と、前記表示部を支持した支持部と、前記表示部とは反対側で前記支持部の少なくとも一部と対向した対向部と、第１端部と、前記第１端部とは反対側の第２端部と、を有するとともに、前記第２端部が前記支持部と前記対向部との間に位置した第１位置と、この第１位置とは異なる第２位置との間で回転可能な回転体と、前記第１位置にある前記回転体と当接し、前記回転体の回転を抑制可能な抑制部と、を備えた。
【図面の簡単な説明】
【０００７】
【図１】第１実施形態にかかる電子機器の一例であるテレビを示した斜視図。
【図２】図１に示すテレビのスタンドを、バンドが第１位置にある状態で下方から示した斜視図。
【図３】図２に示すスタンドの一部を拡大して示した斜視図。
【図４】図２に示すスタンドを分解して示した分解斜視図。
【図５】図２に示すスタンドを下方から示した下面図。
【図６】図２に示すスタンドの一部を拡大して示した斜視図。
【図７】図２に示すスタンドのバンドを第２位置に移動した状態を示した斜視図。
【図８】図７に示すスタンドのバンドを台に固定する手順を示した斜視図。
【図９】第２実施形態にかかる電子機器の一例であるテレビのスタンドを下方から示した斜視図。
【図１０】第３実施形態にかかる電子機器の一例であるテレビのスタンドを下方から示した斜視図。
【図１１】第４実施形態にかかる電子機器の一例であるテレビのスタンドを後方から示した背面図。
【発明を実施するための形態】
【０００８】
以下、図１から図８を参照して、電子機器の一例であるテレビの実施形態について説明する。図１に示すように、本実施形態にかかるテレビは、長方形の外観を有した薄型の表示装置である。図１に示すように、テレビ１１は、表示部１２（ディスプレイ部）と、表示部１２を支持する支持部の一例であるスタンド１３（テレビスタンド）と、を備えている。図１において、紙面右側がテレビ１１の前方向（矢印Ｆで示す）であり、紙面左側がテレビ１１の後方向（矢印Ｒで示す）である。
【０００９】
表示部１２は、表示パネル１４と、表示パネル１４の背面に設けられた図示しない制御部と、表示パネル１４および制御部の周囲を覆ったケース１５と、を備えている。
【００１０】
表示パネル１４は、本実施形態では、例えば、方形板状の液晶パネルで構成されている。表示パネル１４は、例えばプラズマディスプレイパネル、有機ＥＬパネル等の他の種類のディスプレイパネルでもよい。
【００１１】
図１、図２に示すように、スタンド１３は、方形板状の本体２１と、本体２１下面に設けられた底部２２と、底部２２に取り付けられたねじ２３（回転軸、取り付けられた部分）と、ねじ２３周りに回転可能なバンド（回転体）２４と、バンド２４の回転方向を規制するとともに、バンド２４を第１位置Ｐ１に保持するフック２５と、表示部１２を回転可能に支持するスイベル部２６と、本体２１の四隅に設けられた方形の脚部２７と、を備えている。脚部２７には、それぞれゴム等の弾性体などで形成された方形の滑り止め３０が接着されている。脚部２７は、スライドコアを有した金型を利用して、本体２１（カバー２９）と一体に成形されている。
【００１２】
図４に示すように、ねじ２３（回転軸、取り付けられた部分）は、平滑の軸部を有したいわゆる段付きねじであり、本体２１に対してバンド（回転体）２４を回転可能に取り付けることができる。
【００１３】
本体２１は、底部２２を規定した金属製の底板２８と、底板２８の上方および全周を取り囲んだ合成樹脂製のカバー２９と、を有している。図３、図４に示すように、底部２２は、周囲の部分よりも窪んだ凹部３２と、凹部３２と連続的に設けられるとともに、凹部３２から隆起した複数の隆起部３３と、を有している。底板２８は、底部２２、凹部３２、隆起部３３をそれぞれ規定した壁部であり、表示部１２のある方向とは反対側にある壁部である。
【００１４】
凹部３２および隆起部３３を含む凹凸形状は、底板２８に例えば絞り加工等を施して形成される。図２に示すように、凹部３２は、より深く窪んでいる第１凹部３２Ａと、第１凹部３２Ａと連続するとともに、第１凹部３２Ａから後方に延びた第２凹部３２Ｂと、を含んでいる。第２凹部３２Ｂの深さは、第１凹部３２Ａよりも浅くなっている。また、第１凹部３２Ａの周囲は、絞り部３４によって規定されており、この絞り部３４の内側（第１凹部３２Ａ内）にフック２５およびスイベル部２６が設けられている。ねじ２３（回転軸、取り付けられた部分）は、第２凹部３２Ｂ内に設けられている。第１位置Ｐ１にあるバンド２４は、第１凹部３２Ａおよび第２凹部３２Ｂに跨るようにこれらの内側に収納される。
【００１５】
図４に示すように、スタンド１３は、さらに、底板２８を本体２１に固定するための固定ねじ３８と、固定ねじ３８用の目隠し３５と、転倒防止用に紐を通すための筒部３７と、を備えている。ねじ２３（回転軸、取り付けられた部分）は、底板２８に設けられた穴２８Ａに締結されて、底部２２に対してバンド（回転体）２４を回転可能に取り付けることができる。
【００１６】
バンド（回転体）２４は、本体２１をテレビ台などの台３６に固定して、テレビ１１の転倒防止のために利用することができる。図２、図３に示すように、バンド２４は、帯状のバンド本体４１と、バンド本体４１に一定間隔で設けられた複数の孔部４２（丸孔）と、ねじ２３によって本体２１に取り付けられた第１端部４３と、第１端部４３とは反対側の第２端部４４と、を有している。バンド２４は、例えば、ポリアミド（ＰＡ）等のプラスチック材料で形成され、可撓性および強靭性を有している。バンド２４は、複数の孔部４２のうちの１つにねじ２３（回転軸、取り付けられた部分）が通されることで、本体２１に対して取り付けられる。バンド２４は、図２に示す第２端部４４が本体２１と重なった第１位置（第２端部４４が支持部（スタンド１３）と対向部（保持部６３）との間に位置した位置）Ｐ１と、図７に示す第２端部４４が本体２１から突出した（外れた）第２位置（第１位置とは異なる位置）Ｐ２との間で、ねじ２３周りに回転可能である。また、第１位置Ｐ１にあるバンド２４の第２端部４４は、ねじ２３（回転軸、取り付けられた部分）からみてフック２５よりも遠い位置に突出している。
【００１７】
図５に示すように、バンド２４は、底部２２に接着されたラベル４５等の目隠しとして機能させることができる。このラベル４５には、例えば、製造上の管理番号或いはロット番号が付されており、購入者或いはユーザには見えなくてもよい性質の情報が記載されている。なお、本実施形態では、第１位置Ｐ１にあるバンド２４の下側の位置にラベル４５を配置しているが、それ以外にも例えばメーカや製品のロゴであるとか、補強用のリブなどを配置するようにしてもよい。
【００１８】
スイベル部２６は、スタンド１３の本体２１と表示部１２との間に設けられて、本体２１に対して表示部１２を水平方向に沿って回転可能に支持することができる。図４に示すように、スイベル部２６は、表示部１２の支持フレームと固定された軸部５１と、軸部５１と底板２８とを固定するボルト５２と、ボルト５２に締結されるナット５３と、ボルト５２およびナット５３の間に介在される円盤５４、回転板５５、ワッシャ５６、および回転時に所定のトルクを付与するための皿バネ５７と、を有している。
【００１９】
図２等に示すように、スイベル部２６は、スタンド１３の本体２１の中央部よりも、後方に寄った位置に配置されている。また、スイベル部２６の位置は、ねじ２３（回転軸、取り付けられた部分）とフック２５との間の略中間位置である。図６に示すように、スイベル部２６は、ねじ２３とフック２５との間で底部２２から突出しており、第１位置Ｐ１にあるバンド２４に当接して、バンド２４を適度に撓ませることができる。これによって、バンド２４を保持部６３の内側（支持部（スタンド１３）の少なくとも一部と対向した対向部（部分、領域、支持部））に向けて押し付けることができ、これによってバンド２４が意図せず保持部６３（保持部６３とスタンド１３との間に挟まれた部分である挟部）から脱落してしまうことが防止される。
【００２０】
図２に示すように、複数の隆起部３３は、ねじ２３（回転軸、取り付けられた部分）の近傍に設けられた第１隆起部３３Ａと、フック２５近傍に設けられた第２隆起部３３Ｂと、を含んでいる。第１隆起部３３Ａは、ねじ２３の周囲の両側に一対に設けられており、ねじ２３（回転軸、取り付けられた部分）とフック２５と通る線６１上から、当該線６１と交差する方向に行くに連れて徐徐に隆起している。図２、図３等に示すように、第２凹部３２Ｂから第１隆起部３３Ａに至る斜面３９の角度は、絞り部３４の斜面の角度よりも小さくなっており、緩やかな勾配によって、バンド２４を第１位置Ｐ１に保持することができる。
【００２１】
第２隆起部３３Ｂは、フック２５の近傍で、ねじ２３からみてフック２５よりも近い位置に設けられている。第２隆起部３３Ｂは、第１位置Ｐ１にあるバンド２４の両側に一対に設けられており、ねじ２３（回転軸、取り付けられた部分）とフック２５と通る線６１上から、当該線６１と交差する方向に行くに連れて徐徐に隆起している。第２隆起部３３Ｂは、第１位置Ｐ１にあるバンド２４をそのまま第１位置Ｐ１に保持しやすくするとともに、バンド２４を第２位置Ｐ２から第１位置Ｐ１に移動させる際に、バンド２４の位置決めを容易にする。また、絞り部３４および第２隆起部３３Ｂは、底板２８の強度向上に寄与する。
【００２２】
図２、図３に示すように、フック２５は、第１位置Ｐ１にあるバンド２４の第２端部４４の近傍に設けられている。フック２５は、ストッパ部（抑制部）６２および保持部（対向部）６３が一体となったかぎ状をなしている。言い換えると、フック２５は、底部２２（底板２８）から突出して「Ｌ」字形をなしている。フック２５は、第１位置Ｐ１にあるバンド２４の第２端部４４の近傍に設けられている。
【００２３】
ストッパ部（抑制部）６２は、底部２２から底部２２と交差する方向に突出しており、バンド２４の回転方向を規制することができる。すなわち、ストッパ部６２は、第１位置Ｐ１にあるバンド２４が時計回りの方向に回転する際にバンド２４に突き当たってバンド２４の回転を止め、第１位置Ｐ１にあるバンド２４が反時計回りの方向に回転する際にバンド２４の回転を許容する。言い換えると、ストッパ部（抑制部）６２は、第１位置Ｐ１にあるバンド２４（回転体）と当たり、バンド２４の前記時計回りの方向への回転を抑制可能である。
【００２４】
もっとも、ストッパ部６２の配置は一例であり、本実施形態とは逆側にストッパ部６２を設けてもよい。この変形の配置の場合には、ストッパ部６２は、第１位置Ｐ１にあるバンド２４が反時計回りの方向に回転する際にバンド２４に突き当たってバンド２４の回転を止め、第１位置Ｐ１にあるバンド２４が時計回りの方向に回転する際にバンド２４の回転を許容する。
【００２５】
保持部（対向部）６３は、ストッパ部６２の先端から、第１位置Ｐ１にあるバンド２４に向けて、ストッパ部６２と交差する方向に延びている。保持部６３の長さは、少なくともバンド２４の幅の半分以上の長さで、長くともバンド２４の全幅と同等の長さを有している。より好ましくは、保持部６３の長さは、バンド２４の幅の半分の長さよりも若干大きい長さであることが望ましく、これによって、第１位置Ｐ１にあるバンド２４の保持する際の安定性と、バンド２４を第１位置Ｐ１から取り外す際の取り外し性のバランスをとることができる。
【００２６】
図７、図８を参照して、本実施形態のスタンド１３のバンド２４の操作について説明する。バンド２４を台３６に固定する際には、図７に示すように、ねじ２３（回転軸、取り付けられた部分）周りにバンド２４を反時計回りに回転させて、第１位置Ｐ１から第２位置Ｐ２に移動させる。その際、ねじ２３（回転軸、取り付けられた部分）からみてフック２５よりも遠い位置にある第２端部４４を指で持つことができるので、バンド２４の回転は容易である。また、第２位置Ｐ２にバンド２４が移動した後は、一対の第１隆起部３３Ａの間に挟まれた状態となるため、第２位置Ｐ２にあるバンド２４の位置は安定する。
【００２７】
続いて、図８に示すように、バンド２４を台３６の例えば背面に引き回して、固定用の第２ねじ６４によって、バンド２４を台に固定する。さらに台３６上のスタンド１３に表示部１２を取り付けることで、転倒防止の処置が施されたテレビ１１の設置が完了する。
【００２８】
第１実施形態によれば、テレビスタンドは、底部２２に取り付けられた部分を有した本体２１と、取り付けられた部分（ねじ２３）を介して本体２１に取り付けられた第１端部４３と、第１端部４３とは反対側の第２端部４４と、を有するとともに、第２端部４４が本体２１と重なった第１位置Ｐ１と、第２端部４４が本体２１から突出した第２位置Ｐ２との間で、取り付けられた部分周りに回転可能なバンド２４と、第１位置Ｐ１にあるバンド２４が時計回りおよび反時計回りのいずれか一方の方向に回転する際にバンド２４に当たり、該方向への回転を抑制したストッパ部６２と、ストッパ部６２からストッパ部６２と交差する方向に延びてバンド２４を第１位置Ｐ１に保持した保持部６３と、を有したフック２５と、を備えた。
【００２９】
この構成によれば、フック２５が保持部６３を有しているため、ユーザが意図しないときにバンド２４が第１位置Ｐ１から脱落することを防止することができる。また、ストッパ部６２が設けられるため、バンド２４を第１位置Ｐ１に戻す際にバンド２４の位置を迅速に決めることができ、ユーザにとって便利である。また、簡単なフック２５の構造でストッパ部６２と保持部６３とを一体に形成できるため、部品点数を削減することができる。また、本実施形態のようなフック２５の構造は、金属の場合には曲げ加工或いは搾り加工で、樹脂の場合には射出成形で簡単に形成できるため、製造コストを削減することができる。
【００３０】
また、フック２５は、第１位置Ｐ１にあるバンド２４の第２端部４４の近傍に設けられている。この構成によれば、テレビ１１を移動する際などに、第１位置Ｐ１にあるバンド２４の第２端部４４がバタつくことがなく、移動中にバンド２４が周囲に引っ掛かってねじ２３（回転軸、取り付けられた部分）やバンド２４を損傷することがない。
【００３１】
テレビスタンド１３は、表示部１２を支持したスイベル部２６を備え、スイベル部２６は、取り付けられた部分（ねじ２３）とフック２５との間の位置に設けられ、第１位置Ｐ１にあるバンド２４を撓ませた。この構成によれば、バンド２４を保持部６３に向けて適度に押し付けることができ、これによって保持部６３とバンド２４との間で作用する摩擦力を増大させて、意図しないときにバンド２４が保持部６３から脱落してしまうことを防止できる。
【００３２】
また、第１位置Ｐ１にあるバンド２４の第２端部４４は、取り付けられた部分（ねじ２３）からみてフック２５よりも遠い位置に突出している。この構成によれば、ユーザがバンド２４を持ちやすくなり、バンド２４を第１位置Ｐ１から第２位置Ｐ２に動かす際に、第２端部４４を持って簡単に移動させることができる。このため、このように第２端部４４が保持部６３よりも突出していることがユーザにとって便利である。
【００３３】
本体２１の底部２２には、凹部３２が設けられ、凹部３２内に、取り付けられた部分（ねじ２３）、第１位置Ｐ１にあるバンド２４、およびフック２５が収納されている。この構成によれば、底部２２に取り付けられた部分、バンド２４を設けることに起因して、本体２１の浮き上がりを生じて、本体２１が不安定になってしまうことを防止することができる。
【００３４】
また、本体２１には、凹部３２から隆起した複数の隆起部３３が設けられ、複数の隆起部３３は、取り付けられた部分（ねじ２３）とフック２５とを通る線６１上から、当該線６１と交差する方向に行くに連れて徐徐に隆起している。この構成によれば、バンド２４をフック２５から外れにくくすることができる。これによって、意図しないときにバンド２４が第１位置Ｐ１から移動してしまうのを阻止することができる。
【００３５】
複数の隆起部３３は、取り付けられた部分（ねじ２３）の近傍に設けられている。これによれば、例えばバンド２４が第２位置Ｐ２にある際に、意図せず第１位置Ｐ１に戻ってしまうなどの事態を防止できる。また、隆起部３３は、フック２５の近傍で、取り付けられた部分（ねじ２３）からみてフック２５よりも近い位置にも設けられている。これによれば、バンド２４をフック２５から外れにくくして、意図しないときにバンド２４が第１位置Ｐ１から移動してしまうことを防止できる。
【００３６】
続いて、図９を参照して、電子機器の第２実施形態について説明する。第２実施形態の電子機器の一例であるテレビ１１は、凹部３２および隆起部３３の構造、およびバンド（回転体）２４の長さが第１実施形態と異なっているが、他の部分は共通している。このため、主として第１実施形態と異なる部分について説明し、共通する箇所については共通の符号を付して説明を省略する。
【００３７】
第２実施形態では、バンド（回転体）２４は第１実施形態に比して長さが長くなっている。また、これに対応して、凹部３２には、第１位置Ｐ１にあるバンド２４の第２端部４４を収納するように張り出した延長部７１が設けられている。また、本実施形態では、第１の実施形態の第１隆起部３３Ａおよび第２隆起部３３Ｂに加えて、第３隆起部３３Ｃが設けられている。第３隆起部３３Ｃは、フック２５の近傍でねじ２３（回転軸、取り付けられた部分）からみてフック２５よりも遠い位置に設けられている。第３隆起部３３Ｃは、第１位置Ｐ１にあるバンド２４の第２端部４４の両側に一対に設けられており、ねじ２３（回転軸、取り付けられた部分）とフック２５と通る線６１上から、当該線６１と交差する方向に行くに連れて徐徐に隆起している。このため、本実施形態では、第１位置Ｐ１にあるバンド２４の保持性能が向上しており、意図しないときにバンド２４が保持部（対向部）６３から脱落してしまうことがより一層防止されている。
【００３８】
また、本実施形態では、脚部２７は、円形のものが設けられている。また、脚部２７には、それぞれゴム等の弾性体などで形成された円形の滑り止め３０が接着されている。
【００３９】
第２実施形態によれば、複数の隆起部３３は、フック２５の近傍で、取り付けられた部分（ねじ２３）からみてフック２５よりも遠い位置に設けられている。この構成によれば、第１位置Ｐ１にあるバンド２４の保持性能を向上して、意図しないときにバンド２４が第１位置Ｐ１から移動してしまうのをより一層防止できる。
【００４０】
続いて、図１０を参照して、電子機器の第３実施形態について説明する。第３実施形態の電子機器の一例であるテレビ１１は、バンド（回転体）２４の構成が第１実施形態と異なっているが、他の部分は第１実施形態と共通している。このため、主として第１実施形態と異なる部分について説明し、共通する箇所については共通の符号を付して説明を省略する。
【００４１】
バンド（回転体）２４は、帯状のバンド本体４１と、バンド本体４１に一定間隔で設けられた複数の孔部４２（丸穴）と、バンド本体４１の端部に設けられた少なくとも１つの長孔部７２と、ねじ２３（回転軸、取り付けられた部分）によって本体２１に取り付けられた第１端部４３と、第１端部４３とは反対側の第２端部４４と、を有している。長孔部７２は、バンド２４の長手方向に沿って延びている。バンド２４は、長孔部７２にねじ２３（回転軸、取り付けられた部分）が通されることで、本体２１に対して取り付けられる。バンド２４は、第２端部４４が本体２１と重なった第１位置Ｐ１と、第２端部４４が本体２１から突出した（外れた）第２位置Ｐ２との間で、ねじ２３（回転軸、取り付けられた部分）周りに回転可能である。
【００４２】
第３の実施形態において、バンド２４を第１位置Ｐ１から第２位置Ｐ２に移動させるまでの作業は第１実施形態と同様である。しかしながら、第３実施形態では、図１０に示すように、第２位置Ｐ２において、長孔部７２を介してバンド２４の引き出し長さを調節することができる。
【００４３】
一般に、台の形状が特殊な場合には、バンド２４の長さが足りなくなる事態を生ずる可能性がある。第３実施形態によれば、バンド２４の引き出し長さを調節することができ、例えば特殊な形状の台などにもバンド２４を固定することができる。これによって、バンド２４の汎用性を高めて、ユーザの利便性をさらに向上できる。
【００４４】
続いて、図１１を参照して、電子機器の第４実施形態について説明する。第４実施形態の電子機器の一例であるテレビ１１は、第２ストッパ部７３を有する点で第１実施形態と異なっているが、他の部分は第１実施形態と共通している。このため、主として第１実施形態と異なる部分について説明し、共通する箇所については共通の符号を付して説明を省略する。
【００４５】
第４実施形態では、ねじ２３（回転軸、取り付けられた部分）の近傍に第２ストッパ部７３が設けられている。すなわち、第４実施形態では、図２中の紙面右側の第１隆起部３３Ａに代えて、図１１に示す第２ストッパ部７３が設けられている。第２ストッパ部７３は、例えば第２凹部３２Ｂから立ち上がった段状をなしており、第２位置Ｐ２にあるバンド（回転体）２４がこれ以上、反時計回り方向に回転できないようにしている。第２ストッパ部７３は、第２位置Ｐ２にあるバンド（回転体）２４が反時計回りの方向に回転する際にバンド２４に突き当たり、第２位置Ｐ２にあるバンド２４が時計回りの方向に回転する際にバンド２４の回転を許容するように底部２２（壁部）から突出している。言い換えると、第２ストッパ部７３は、第２位置Ｐ２にあるバンド２４（回転体）と当たり、バンド２４の前記反時計回りの方向への回転を抑制可能である。
【００４６】
なお、第２ストッパ部７３の形状は一例であり、例えばピンや或いはフックのような「Ｌ」字の形状でバンドの回転方向を規制してもよい。
【００４７】
第４実施形態によれば、例えば、バンド２４がフック２５と係合できない方向に回転することを禁止するために、第２位置Ｐ２にあるバンド２４の回転方向を制限したい場合に特に有用である。
【００４８】
電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００４９】
１１…テレビ、１２…表示部、１３…スタンド、２１…本体、２２…底部、２３…ねじ（取り付けられた部分）、２４…バンド（回転体）、２５…フック、２６…スイベル部、３２…凹部、３２Ａ…第１凹部、３２Ｂ…第２凹部、３３…隆起部、３３Ａ…第１隆起部、３３Ｂ…第２隆起部、３３Ｃ…第３隆起部、４３…第１端部、４４…第２端部、６１…線、６２…ストッパ部（抑制部）、６３…保持部（対向部）、７２…長孔部、７３…第２ストッパ部、Ｐ１…第１位置、Ｐ２…第２位置。
【図１】
2012175342.tif 000003
【図２】
2012175342.tif 000004
【図３】
2012175342.tif 000005
【図４】
2012175342.tif 000006
【図５】
2012175342.tif 000007
【図６】
2012175342.tif 000008
【図７】
2012175342.tif 000009
【図８】
2012175342.tif 000010
【図９】
2012175342.tif 000011
【図１０】
2012175342.tif 000012
【図１１】
2012175342.tif 000013
【手続補正書】
【提出日】平成24年4月20日(2012.4.20)
【手続補正２】
【補正対象書類名】明細書
【補正対象項目名】００４８
【補正方法】変更
【補正の内容】
【００４８】
電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願出願の当初の特許請求の範囲に記載された発明を付記する。
［１］
底部を有した本体と、
前記本体に取り付けられた第１端部と、前記第１端部とは反対側の第２端部と、を有するとともに、前記第２端部が前記本体と重なった第１位置と、前記第２端部が前記本体から突出した第２位置との間で、前記取り付けられた部分の周りに回転可能なバンドと、
前記底部から突出し、前記バンドが時計回りおよび反時計回りのいずれか一方の方向に回転する際に前記第１位置で前記バンドに当たり、該方向への回転を抑制したストッパ部と、前記ストッパ部から前記ストッパ部と交差する方向に延びて前記バンドを前記第１位置に保持した保持部と、を有したフックと、
を備えたテレビスタンド。
［２］
前記フックは、前記第１位置にある前記バンドの前記第２端部の近傍に設けられた［１］
に記載のテレビスタンド。
［３］
表示部を支持したスイベル部を備え、
前記スイベル部は、前記取り付けられた部分と前記フックとの間の位置に設けられ、前記第１位置にある前記バンドを撓ませた［２］に記載のテレビスタンド。
［４］
前記第１位置にある前記バンドの前記第２端部は、前記取り付けられた部分からみて前記フックよりも遠い位置に突出した［３］に記載のテレビススタンド。
［５］
前記本体の前記底部には、凹部が設けられ、前記凹部内に、前記取り付けられた部分、前記第１位置にある前記バンド、および前記フックが収納された［４］に記載のテレビスタンド。
［６］
前記本体には、前記凹部から隆起した複数の隆起部が設けられ、
前記複数の隆起部は、前記取り付けられた部分と前記フックとを通る線上から、当該線と交差する方向に行くに連れて徐徐に隆起した［５］に記載のテレビスタンド。
［７］
前記複数の隆起部は、前記取り付けられた部分の近傍に設けられた［６］に記載のテレビスタンド。
［８］
前記複数の隆起部は、前記フックの近傍で、前記取り付けられた部分からみて前記フックよりも近い位置に設けられた［６］に記載のテレビスタンド。
［９］
前記複数の隆起部は、前記フックの近傍で、前記取り付けられた部分からみて前記フックよりも遠い位置に設けられた［６］に記載のテレビスタンド。
［１０］
前記バンドには、長孔部が設けられ、前記長孔部は、前記バンドの長手方向に延びるとともに、その内側に前記取り付けられた部分が通された［６］に記載のテレビスタンド。
［１１］
前記バンドは、前記底部に接着されたラベルの目隠しを兼ねた［６］に記載のテレビスタンド。
［１２］
前記底部から突出し、前記第２位置にある前記バンドが時計回りおよび反時計回りの前記いずれか他方の方向に回転する際に前記第２位置で前記バンドに当たり、該方向への回転を抑制した第２ストッパ部を備えた［６］に記載のテレビスタンド。
［１３］
表示部と、
前記表示部を支持した支持部と、
前記表示部とは反対側で前記支持部の少なくとも一部と対向した対向部と、
第１端部と、前記第１端部とは反対側の第２端部と、を有するとともに、前記第２端部が前記支持部と前記対向部との間に位置した第１位置と、この第１位置とは異なる第２位置との間で回転可能な回転体と、
前記第１位置にある前記回転体と当接し、前記回転体の回転を抑制可能な抑制部と、
を備えた電子機器。
【手続補正３】
【補正対象書類名】特許請求の範囲
【補正対象項目名】全文
【補正方法】変更
【補正の内容】
【特許請求の範囲】
【請求項１】
表示部と、
前記表示部を支持した支持部と、
を備え、
前記支持部は、
底部を有した本体と、
前記本体に取り付けられた第１端部と、前記第１端部とは反対側の第２端部と、を有するとともに、前記第２端部が前記本体と重なった第１位置と、前記第２端部が前記本体から突出した第２位置との間で、前記取り付けられた部分の周りに回転可能なバンドと、
前記底部から突出し、前記バンドが時計回りおよび反時計回りのいずれか一方の方向に回転する際に前記第１位置で前記バンドに当たり、該方向への回転を抑制したストッパ部と、前記ストッパ部から前記ストッパ部と交差する方向に延びて前記バンドを前記第１位置に保持した保持部と、を有したフックと、
を備えた電子機器。
【請求項２】
前記フックは、前記第１位置にある前記バンドの前記第２端部の近傍に設けられた請求項１に記載の電子機器。
【請求項３】
表示部を支持したスイベル部を備え、
前記スイベル部は、前記取り付けられた部分と前記フックとの間の位置に設けられ、前記第１位置にある前記バンドを撓ませた請求項１に記載の電子機器。
【請求項４】
前記第１位置にある前記バンドの前記第２端部は、前記取り付けられた部分からみて前記フックよりも遠い位置に突出した請求項１に記載の電子機器。
【請求項５】
前記本体の前記底部には、凹部が設けられ、前記凹部内に、前記取り付けられた部分、前記第１位置にある前記バンド、および前記フックが収納された請求項１に記載の電子機器。
【請求項６】
前記本体には、前記凹部から隆起した複数の隆起部が設けられ、
前記複数の隆起部は、前記取り付けられた部分と前記フックとを通る線上から、当該線と交差する方向に行くに連れて徐徐に隆起した請求項５に記載の電子機器。
【請求項７】
前記複数の隆起部は、前記取り付けられた部分の近傍に設けられた請求項６に記載の電子機器。
【請求項８】
前記複数の隆起部は、前記フックの近傍で、前記取り付けられた部分からみて前記フックよりも近い位置に設けられた請求項６に記載の電子機器。
【請求項９】
前記複数の隆起部は、前記フックの近傍で、前記取り付けられた部分からみて前記フックよりも遠い位置に設けられた請求項６に記載の電子機器。
【請求項１０】
前記バンドには、長孔部が設けられ、前記長孔部は、前記バンドの長手方向に延びるとともに、その内側に前記取り付けられた部分が通された請求項１に記載の電子機器。
【請求項１１】
前記バンドは、前記底部に接着されたラベルの目隠しを兼ねた請求項１に記載の電子機器。
【請求項１２】
前記底部から突出し、前記第２位置にある前記バンドが時計回りおよび反時計回りの前記いずれか他方の方向に回転する際に前記第２位置で前記バンドに当たり、該方向への回転を抑制した第２ストッパ部を備えた請求項１に記載の電子機器。
【請求項１３】
前記保持部は、少なくとも前記バンドの幅の半分以上の長さを有する請求項１に記載の電子機器。
【請求項１４】
表示部と、
前記表示部を支持するとともに底部を有した支持部と、
第１端部と、前記第１端部とは反対側の第２端部と、を有するとともに、前記第２端部が前記支持部と重なった第１位置と、この第１位置とは異なる第２位置との間で回転可能な回転体と、
前記底部から突出し、前記第１位置にある前記回転体と当接して、前記回転体の回転を抑制可能な抑制部と、
前記抑制部から前記抑制部と交差する方向に延びて前記回転体を前記第１位置に保持した保持部と、
を備えた電子機器。
【請求項１５】
底部を有した本体と、
前記本体に取り付けられた第１端部と、前記第１端部とは反対側の第２端部と、を有するとともに、前記第２端部が前記本体と重なった第１位置と、前記第２端部が前記本体から突出した第２位置との間で、前記取り付けられた部分の周りに回転可能なバンドと、
前記底部から突出し、前記バンドが時計回りおよび反時計回りのいずれか一方の方向に回転する際に前記第１位置で前記バンドに当たり、該方向への回転を抑制したストッパ部と、前記ストッパ部から前記ストッパ部と交差する方向に延びて前記バンドを前記第１位置に保持した保持部と、を有したフックと、
を備えたスタンド。